(57)【要約】【課題】光源がオン状態の時と光源がオフ状態の時とで輝度−階調特性がばらつくのを抑制することが可能な表示装置を提供する。【解決手段】この液晶表示装置は、バックライト１と、バックライト１のオン状態およびオフ状態に応じて表示画素５１を構成する液晶５１ａに印加する電圧を制御する制御回路２とを備えている。そして、制御回路２は、バックライト１のオン状態およびオフ状態を検出するとともに、バックライト１のオン状態およびオフ状態に基づいて、バックライト１のオン状態に対応した白基準電圧用データおよび黒基準電圧用データと、バックライト１のオフ状態に対応した白基準電圧用データおよび黒基準電圧用データとのいずれか一方を出力する。【選択図】図１
2005017566.tif 000002
【特許請求の範囲】
【請求項１】
光源と、
前記光源のオン状態およびオフ状態に応じて表示画素に印加する電圧を制御する印加電圧制御手段とを備え、
前記印加電圧制御手段は、
前記光源のオン状態およびオフ状態を検出するとともに、前記光源のオン状態およびオフ状態に基づいて、前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとのいずれか一方を出力する制御回路を含む、表示装置。
【請求項２】
前記制御回路は、
前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとが記憶されたメモリと、
前記光源のオン状態およびオフ状態を検出するとともに、前記光源のオン状態およびオフ状態に基づいて、前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとのいずれか一方を選択する選択回路とを含む、請求項１に記載の表示装置。
【請求項３】
光源と、
前記光源のオン状態およびオフ状態に応じて表示画素に印加する電圧を制御する印加電圧制御手段とを備え、
前記印加電圧制御手段は、
前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとが記憶されたメモリと、
前記光源のオン状態およびオフ状態を検出するとともに、前記光源のオン状態およびオフ状態に基づいて、前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとのいずれか一方を選択する選択回路とを含む、表示装置。
【請求項４】
前記白基準電圧用データおよび前記黒基準電圧用データは、デジタルデータであり、
前記光源のオン状態に対応した白基準電圧用デジタルデータおよび黒基準電圧用デジタルデータの少なくとも一方のデータと、前記光源のオフ状態に対応した白基準電圧用デジタルデータおよび黒基準電圧用デジタルデータの少なくとも一方のデータとを、デジタル信号からアナログ信号に変換する基準電圧用デジタル／アナログ変換回路をさらに備える、請求項１〜３のいずれか１項に記載の表示装置。
【請求項５】
前記表示装置に供給される映像データはデジタルデータであり、
前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとのいずれか一方に基づいて、前記映像データをデジタル信号からアナログ信号に変換する映像データ用デジタル／アナログ変換回路をさらに備える、請求項１〜４のいずれか１項に記載の表示装置。
【請求項６】
前記表示装置に供給される映像データはデジタルデータであり、
前記光源のオン状態に対応した白基準電圧用データおよび黒基準電圧用データの少なくとも一方のデータと、前記光源のオフ状態に対応した白基準電圧用データおよび黒基準電圧用データの少なくとも一方のデータとのいずれか一方に基づいて、前記映像データを補正する前に、前記映像データをデジタル信号からアナログ信号に変換する映像データ用デジタル／アナログ変換回路をさらに備える、請求項１〜４のいずれか１項に記載の表示装置。
【請求項７】
光源と、
前記光源のオン状態およびオフ状態に応じて表示画素に印加する電圧を制御する印加電圧制御手段とを備え、
前記印加電圧制御手段は、
前記光源のオン状態およびオフ状態を検出するとともに、前記光源のオン状態に対応したガンマ補正データと、前記光源のオフ状態に対応したガンマ補正データとのいずれか一方に基づいて、映像データをガンマ補正するガンマ補正回路を含む、表示装置。
【請求項８】
前記ガンマ補正回路は、
前記光源のオン状態に対応したガンマ補正データと、前記光源のオフ状態に対応したガンマ補正データとが記憶された記憶部と、
前記光源のオン状態およびオフ状態を検出するとともに、前記光源のオン状態およびオフ状態に基づいて、前記光源のオン状態に対応したガンマ補正データと、前記光源のオフ状態に対応したガンマ補正データとのいずれか一方を選択する選択回路と、
前記光源のオン状態に対応したガンマ補正データと、前記光源のオフ状態に対応したガンマ補正データとのいずれか一方に基づいて、前記映像データをガンマ補正するデータ処理回路とを含む、請求項７に記載の表示装置。
【請求項９】
前記ガンマ補正データは、デジタルデータであり、
ガンマ補正デジタルデータによりガンマ補正された映像データを、デジタル信号からアナログ信号に変換するデジタル／アナログ変換回路をさらに備える、請求項７または８に記載の表示装置。
【請求項１０】
透過領域と反射領域とをさらに備え、
前記光源がオン状態の時には、少なくとも前記透過領域により表示を行うとともに、前記光源がオフ状態の時には、前記反射領域により表示を行い、
前記光源がオン状態の時には、前記印加電圧制御手段により、透過用の電圧を前記表示画素に印加するとともに、前記光源がオフ状態の時には、前記印加電圧制御手段により、反射用の電圧を前記表示画素に印加する、請求項１〜９のいずれか１項に記載の表示装置。
【請求項１１】
前記印加電圧制御手段は、前記光源のオン状態における輝度−階調特性と前記光源のオフ状態における輝度−階調特性とが実質的に同じになるように、前記光源のオン状態およびオフ状態に応じて前記表示画素に印加する電圧を制御する、請求項１〜１０のいずれか１項に記載の表示装置。
【請求項１２】
異なる輝度−階調特性を有する光源のオン状態およびオフ状態を検出するステップと、
前記光源のオン状態およびオフ状態に応じて、表示画素に印加する電圧を制御するステップとを備えた、表示装置の制御方法。
【請求項１３】
前記表示画素に印加する電圧を制御するステップは、前記光源のオン状態における輝度−階調特性と前記光源のオフ状態における輝度−階調特性とが実質的に同じになるように、前記光源のオン状態およびオフ状態に応じて前記表示画素に印加する電圧を制御するステップを含む、請求項１２に記載の表示装置の制御方法。
【発明の詳細な説明】
【０００１】
【発明の属する技術分野】
この発明は、表示装置およびその制御方法に関し、特に、光源を有する表示装置およびその制御方法に関する。
【０００２】
【従来の技術】
従来、表示装置として、液晶表示パネルに画像を表示する液晶表示装置が知られている。上記した液晶表示装置としては、液晶に入射した光を一方方向にのみ通過させる透過型液晶表示装置、液晶に入射した光を反射させる反射型液晶表示装置、および、透過型と反射型との２つの機能を有する半透過型液晶表示装置などがある。また、半透過型液晶表示装置では、光源をオン／オフさせることにより表示を行う。具体的には、半透過型液晶表示装置では、透過表示の際には、光源としてのバックライトをオン状態にすることによりバックライトからの光を液晶に入射させるとともに、反射表示の際には、バックライトをオフ状態にして自然光を液晶に入射させる。なお、反射型液晶表示装置においても、フロントライトなどの光源を有するとともに、外部の明るさなどに応じて光源をオン／オフさせることにより表示を行うものが知られている。このような反射型液晶表示装置では、外部が暗い時などには、光源をオン状態にして光源のみまたは光源および自然光により反射表示を行うとともに、外部が明るい時などには、光源をオフ状態にして自然光により反射表示を行う。
【０００３】
また、従来の半透過型液晶表示装置では、液晶に印加する電圧を制御することによって、液晶表示パネルに表示される画像の輝度を制御することができる。具体的には、液晶に対する光の透過率は、ノーマリホワイトの場合、図７に示すＶ−Ｔ（印加電圧−透過率）特性図のように、液晶に印加する電圧に応じて変化するので、印加電圧を高くすれば、光の透過率が低くなり、印加電圧を低くすれば、光の透過率が高くなる。このため、印加電圧を高く設定すれば、液晶表示パネルに表示される画像の輝度を低くすることができるとともに、印加電圧を低く設定すれば、液晶表示パネルに表示される画像の輝度を高くすることができる。このように、液晶に印加する電圧を所定の値に設定すれば、液晶表示パネルに表示される画像の輝度を制御することが可能となる。
【０００４】
また、従来、輝度と入力データ（映像データ）との関係は、図８に示すように、非線形（図８中の曲線１００ａ）になることが知られている。このため、従来の液晶表示装置では、ガンマ補正することによって、輝度と入力データ（映像データ）との関係を線形（図８中の直線１００ｂ）にしている（たとえば、特許文献１参照）。なお、ガンマ補正とは、予め所定の値に設定されたガンマ補正データなどに基づいて入力される映像データを補正することによって、輝度と入力データ（映像データ）との関係を線形にすることである。このガンマ補正を行うことによって、液晶表示パネルに表示される画像を、入力データ（映像データ）に対応した輝度にすることができる。
【０００５】
【特許文献１】
特開２００１−２２２２６４号公報
【発明が解決しようとする課題】
しかしながら、従来のガンマ補正方法を図７に示すＶ−Ｔ特性を有する半透過型液晶表示装置に適用した場合、透過表示（バックライトのオン状態）の時と反射表示（バックライトのオフ状態）の時とで液晶表示パネルに表示される画像を同等の輝度−階調特性にするのは困難であるという不都合がある。具体的には、透過表示（バックライトのオン状態）の時および反射表示（バックライトのオフ状態）の時のＶ−Ｔ特性は、図７に示したように、互いに異なる特性となる。これにより、たとえば、透過表示の時に対して最適になるようなガンマ補正データを用いた場合、透過表示の時の輝度と入力データ（映像データ）との関係は、線形特性を有するように補正される一方、反射表示の時の輝度と入力データ（映像データ）との関係は、線形特性を有するようには補正されない。このため、反射表示の時に液晶表示パネルに表示される画像は、入力された映像データに対応した輝度にはならない。したがって、透過表示（バックライトのオン状態）の時と反射表示（バックライトのオフ状態）の時とで液晶表示パネルに表示される画像の輝度−階調特性が異なってしまうという不都合が生じる。その結果、透過表示（バックライトのオン状態）の時と反射表示（バックライトのオフ状態）の時とで液晶表示パネルに表示される画像の輝度−階調特性にばらつきが生じるという問題点がある。
【０００６】
また、フロントライトなどの光源を有する反射型液晶表示装置においても、上記した半透過型液晶表示装置と同様、光源からの光による反射表示（光源のオン状態）の時と自然光による反射表示（光源のオフ状態）の時とで液晶表示パネルに表示される画像の輝度−階調特性にばらつきが生じるという問題点がある。
【０００７】
この発明は、上記のような課題を解決するためになされたものであり、この発明の１つの目的は、光源がオン状態の時と光源がオフ状態の時とで輝度−階調特性がばらつくのを抑制することが可能な表示装置を提供することである。
【０００８】
この発明のもう１つの目的は、光源がオン状態の時と光源がオフ状態の時とで輝度−階調特性がばらつくのを抑制することが可能な表示装置の制御方法を提供することである。
【０００９】
【課題を解決するための手段および発明の効果】
上記目的を達成するために、この発明の第１の局面による表示装置は、光源と、光源のオン状態およびオフ状態に応じて表示画素に印加する電圧を制御する印加電圧制御手段とを備え、印加電圧制御手段は、光源のオン状態およびオフ状態を検出するとともに、光源のオン状態およびオフ状態に基づいて、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を出力する制御回路を含む。
【００１０】
この第１の局面による表示装置では、上記のように、光源のオン状態およびオフ状態を検出するとともに、光源のオン状態およびオフ状態に基づいて、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を出力する制御回路を含む印加電圧制御手段を設けることによって、容易に、光源のオン状態およびオフ状態にそれぞれ応じた白基準電圧および黒基準電圧の少なくとも一方を出力することができる。これにより、その白基準電圧および黒基準電圧の少なくとも一方を用いて表示画素に印加する電圧を生成することにより、容易に、光源がオン状態の時と光源がオフ状態の時とで同等の輝度−階調特性を得ることができるように、光源のオン状態およびオフ状態に応じてそれぞれ最適な電圧を表示画素に印加することができる。その結果、光源がオン状態の時と光源がオフ状態の時とで輝度−階調特性がばらつくのを抑制することができる。
【００１１】
上記第１の局面による表示装置において、好ましくは、制御回路は、光源のオン状態に対応した白基準電圧用データおよび黒基準電圧用データの少なくとも一方のデータと、光源のオフ状態に対応した白基準電圧用データおよび黒基準電圧用データの少なくとも一方のデータとが記憶されたメモリと、光源のオン状態およびオフ状態を検出するとともに、光源のオン状態およびオフ状態に基づいて、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を選択する選択回路とを含む。このように構成すれば、メモリに予め記憶された光源のオン状態に対応した白基準電圧用データおよび黒基準電圧用データの少なくとも一方のデータと光源のオフ状態に対応した白基準電圧用データおよび黒基準電圧用データの少なくとも一方のデータとのいずれか一方を、選択回路により選択することができるので、容易に、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を選択して出力することができる。
【００１２】
この発明の第２の局面による表示装置は、光源と、光源のオン状態およびオフ状態に応じて表示画素に印加する電圧を制御する印加電圧制御手段とを備え、印加電圧制御手段は、光源のオン状態に対応した白基準電圧用データおよび黒基準電圧用データの少なくとも一方のデータと、光源のオフ状態に対応した白基準電圧用データおよび黒基準電圧用データの少なくとも一方のデータとが記憶されたメモリと、光源のオン状態およびオフ状態を検出するとともに、光源のオン状態およびオフ状態に基づいて、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を選択する選択回路とを含む。
【００１３】
この第２の局面による表示装置では、上記のように、光源のオン状態に対応した白基準電圧用データおよび黒基準電圧用データの少なくとも一方のデータと、光源のオフ状態に対応した白基準電圧用データおよび黒基準電圧用データの少なくとも一方のデータとが記憶されたメモリと、光源のオン状態およびオフ状態を検出するとともに、光源のオン状態およびオフ状態に基づいて、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方を選択する選択回路とを含む印加電圧制御手段を設けることによって、メモリに予め記憶された光源のオン状態に対応した白基準電圧用データおよび黒基準電圧用データの少なくとも一方のデータと光源のオフ状態に対応した白基準電圧用データおよび黒基準電圧用データの少なくとも一方のデータとのいずれか一方を、選択回路により選択することができるので、容易に、光源のオン状態およびオフ状態にそれぞれ応じた白基準電圧および黒基準電圧を出力することができる。これにより、その白基準電圧および黒基準電圧の少なくとも一方の基準電圧を用いて表示画素に印加する電圧を生成することにより、容易に、光源がオン状態の時と光源がオフ状態の時とで同等の階調−輝度特性を得ることができるように、光源のオン状態およびオフ状態に応じてそれぞれ最適な電圧を表示画素に印加することができる。その結果、光源がオン状態の時と光源がオフ状態の時とで輝度−階調特性がばらつくのを抑制することができる。
【００１４】
上記第１または第２の局面による表示装置において、好ましくは、白基準電圧用データおよび黒基準電圧用データは、デジタルデータであり、光源のオン状態に対応した白基準電圧用デジタルデータおよび黒基準電圧用デジタルデータの少なくとも一方のデータと、光源のオフ状態に対応した白基準電圧用デジタルデータおよび黒基準電圧用デジタルデータの少なくとも一方のデータとを、デジタル信号からアナログ信号に変換する基準電圧用デジタル／アナログ変換回路をさらに備える。このように構成すれば、光源のオン状態またはオフ状態に対応した白基準電圧用デジタルデータおよび黒基準電圧用デジタルデータを、容易に、光源のオン状態またはオフ状態に対応した白基準電圧用アナログデータおよび黒基準電圧用アナログデータに変換することができる。
【００１５】
上記第１または第２の局面による表示装置において、好ましくは、表示装置に供給される映像データはデジタルデータであり、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方に基づいて、映像データをデジタル信号からアナログ信号に変換する映像データ用デジタル／アナログ変換回路をさらに備える。このように構成すれば、容易に、映像デジタルデータを、映像アナログデータに変換する際、または、変換する前に、光源のオン状態またはオフ状態に対応して映像データを補正することができる。
【００１６】
上記第１または第２の局面による表示装置において、好ましくは、表示装置に供給される映像データはデジタルデータであり、光源のオン状態に対応した白基準電圧用データおよび黒基準電圧用データの少なくとも一方のデータと、光源のオフ状態に対応した白基準電圧用データおよび黒基準電圧用データの少なくとも一方のデータとのいずれか一方に基づいて、映像データを補正する前に、映像データをデジタル信号からアナログ信号に変換する映像データ用デジタル／アナログ変換回路をさらに備える。このように構成すれば、容易に、映像デジタルデータを、映像アナログデータに変換した後、光源のオン状態またはオフ状態に対応して映像アナログデータを補正することができる。
【００１７】
この発明の第３の局面による表示装置は、光源と、光源のオン状態およびオフ状態に応じて表示画素に印加する電圧を制御する印加電圧制御手段とを備え、印加電圧制御手段は、光源のオン状態およびオフ状態を検出するとともに、光源のオン状態に対応したガンマ補正データと、光源のオフ状態に対応したガンマ補正データとのいずれか一方に基づいて、映像データをガンマ補正するガンマ補正回路を含む。
【００１８】
この第３の局面による表示装置では、上記のように、光源のオン状態およびオフ状態を検出するとともに、光源のオン状態に対応したガンマ補正データと、光源のオフ状態に対応したガンマ補正データとのいずれか一方に基づいて、映像データをガンマ補正するガンマ補正回路を含む印加電圧制御手段を設けることによって、光源のオン状態に対応したガンマ補正データまたはオフ状態に対応したガンマ補正データを用いて、容易に、ガンマ補正回路に入力された映像データを、光源のオン状態に対応した映像データまたはオフ状態に対応した映像データにガンマ補正することができる。これにより、このガンマ補正された映像データに基づいて、表示画素に印加する電圧を生成することにより、容易に、光源がオン状態の時と光源がオフ状態の時とで同等の輝度−階調特性を得ることができるように、光源のオン状態およびオフ状態に応じてそれぞれ最適な電圧を表示画素に印加することができる。その結果、光源がオン状態の時と光源がオフ状態の時とで輝度−階調特性がばらつくのを抑制することができる。
【００１９】
この場合、好ましくは、ガンマ補正回路は、光源のオン状態に対応したガンマ補正データと、光源のオフ状態に対応したガンマ補正データとが記憶された記憶部と、光源のオン状態およびオフ状態を検出するとともに、光源のオン状態およびオフ状態に基づいて、光源のオン状態に対応したガンマ補正データと、光源のオフ状態に対応したガンマ補正データとのいずれか一方を選択する選択回路と、光源のオン状態に対応したガンマ補正データと、光源のオフ状態に対応したガンマ補正データとのいずれか一方に基づいて、映像データをガンマ補正するデータ処理回路とを含む。このように構成すれば、記憶部に予め記憶された光源のオン状態に対応したガンマ補正データと光源のオフ状態に対応したガンマ補正データとのいずれか一方を、選択回路により選択することができるので、容易に、光源のオン状態に対応したガンマ補正データと、光源のオフ状態に対応したガンマ補正データとのいずれか一方を選択してガンマ補正することができる。
【００２０】
この場合、好ましくは、ガンマ補正データは、デジタルデータであり、ガンマ補正デジタルデータによりガンマ補正された映像データを、デジタル信号からアナログ信号に変換するデジタル／アナログ変換回路をさらに備える。このように構成すれば、光源のオン状態またはオフ状態に対応したガンマ補正デジタルデータに基づいてガンマ補正された映像デジタルデータを、容易に、光源のオン状態またはオフ状態に対応した映像アナログデータに変換することができる。
【００２１】
上記の局面において、好ましくは、透過領域と反射領域とをさらに備え、光源がオン状態の時には、少なくとも透過領域により表示を行うとともに、光源がオフ状態の時には、反射領域により表示を行い、光源がオン状態の時には、印加電圧制御手段により、透過用の電圧を表示画素に印加するとともに、光源がオフ状態の時には、印加電圧制御手段により、反射用の電圧を表示画素に印加する。このように構成すれば、透過領域により表示を行う時（光源のオン状態）と反射領域により表示を行う時（光源のオフ状態）とで同等の輝度−階調特性を得ることができるように、透過領域により表示を行う時（光源のオン状態）および反射領域により表示を行う時（光源のオフ状態）に応じてそれぞれ最適な電圧を表示画素に印加することができる。その結果、透過領域により表示を行う時（光源のオン状態）と反射領域により表示を行う時（光源のオフ状態）とで輝度−階調特性がばらつくのを抑制することができる。
【００２２】
上記第１〜第３のいずれかの局面において、好ましくは、印加電圧制御手段は、光源のオン状態における輝度−階調特性と光源のオフ状態における輝度−階調特性とが実質的に同じになるように、光源のオン状態およびオフ状態に応じて表示画素に印加する電圧を制御する。このように構成すれば、光源がオン状態の時と光源がオフ状態の時とで輝度−階調特性が実質的に同じになるので、容易に、光源がオン状態の時と光源がオフ状態の時とで同等の輝度−階調特性を得ることができる。
【００２３】
この発明の第４の局面による表示装置の制御方法は、異なる輝度−階調特性を有する光源のオン状態およびオフ状態を検出するステップと、光源のオン状態およびオフ状態に応じて、表示画素に印加する電圧を制御するステップとを備えている。
【００２４】
この第４の局面による表示装置の制御方法では、上記のように、異なる輝度−階調特性を有する光源のオン状態およびオフ状態を検出するとともに、光源のオン状態およびオフ状態に応じて、表示画素に印加する電圧を制御することによって、光源がオン状態の時と光源がオフ状態の時とで同等の輝度−階調特性を得ることができるように、光源のオン状態およびオフ状態に応じてそれぞれ最適な電圧を表示画素に印加することができる。その結果、光源がオン状態の時と光源がオフ状態の時とで輝度−階調特性がばらつくのを抑制することができる。
【００２５】
この場合、好ましくは、表示画素に印加する電圧を制御するステップは、光源のオン状態における輝度−階調特性と光源のオフ状態における輝度−階調特性とが実質的に同じになるように、光源のオン状態およびオフ状態に応じて表示画素に印加する電圧を制御するステップを含む。このように構成すれば、光源がオン状態の時と光源がオフ状態の時とで輝度−階調特性が実質的に同じになるので、容易に、光源がオン状態の時と光源がオフ状態の時とで同等の輝度−階調特性を得ることができる。
【００２６】
【発明の実施の形態】
以下、本発明の実施形態を図面に基づいて説明する。
【００２７】
（第１実施形態）
図１は、本発明の第１実施形態による半透過型液晶表示装置（表示装置）の全体構成を示したブロック図である。図２は、図１に示した第１実施形態による半透過型液晶表示装置（表示装置）の制御回路の内部構成を示したブロック図である。まず、図１および図２を参照して、第１実施形態による半透過型液晶表示装置の構成について説明する。
【００２８】
第１実施形態による半透過型液晶表示装置は、図１に示すように、バックライト（ＢＬ）１と、制御回路２と、ＤＡＣ（デジタル／アナログ変換回路）部３と、出力バッファ（緩衝増幅器）４と、画素領域５とを備えている。なお、バックライト１は、本発明の「光源」の一例であり、制御回路２は、本発明の「印加電圧制御手段」の一例である。そして、この第１実施形態による半透過型液晶表示装置では、透過表示の時には、バックライト１をオン状態にするとともに、反射表示の時には、バックライト１をオフ状態にする。
【００２９】
ここで、第１実施形態では、制御回路２は、バックライト１のオン信号およびオフ信号を検出する機能を有している。さらに、制御回路２は、バックライト１のオン信号およびオフ信号に基づいて、バックライト１のオン信号に対応した白基準電圧用デジタルデータおよび黒基準電圧用デジタルデータと、バックライト１のオフ信号に対応した白基準電圧用デジタルデータおよび黒基準電圧用デジタルデータとのいずれか一方を出力する機能も有している。具体的には、図２に示すように、制御回路２は、不揮発性メモリ２１と、セレクタ２２ａおよび２２ｂとを含んでいる。なお、不揮発性メモリ２１は、本発明の「メモリ」の一例であり、セレクタ２２ａおよび２２ｂは、本発明の「選択回路」の一例である。
【００３０】
不揮発性メモリ２１には、バックライト１（図１参照）のオン信号に対応した白基準電圧用デジタルデータおよび黒基準電圧用デジタルデータを含む透過表示用基準電圧データ２１ａと、バックライト１のオフ信号に対応した白基準電圧用デジタルデータおよび黒基準電圧用デジタルデータを含む反射表示用基準電圧データ２１ｂとが記憶されている。なお、透過表示用基準電圧データ２１ａおよび反射表示用基準電圧データ２１ｂは、それぞれ、透過表示の場合と反射表示の場合とで輝度−階調特性が実質的に同じになるように設定されている。また、セレクタ２２ａおよび２２ｂは、バックライト１のオン信号およびオフ信号を検出するとともに、そのオン信号およびオフ信号に基づいて、透過表示用基準電圧データ２１ａと反射表示用基準電圧データ２１ｂとのいずれか一方を選択して出力する機能を有している。すなわち、バックライト１のオン信号が検出された場合には、透過表示用基準電圧データ２１ａが選択され、バックライト１のオフ信号が検出された場合には、反射表示用基準電圧データ２１ｂが選択される。
【００３１】
また、図１に示すように、ＤＡＣ部３は、白基準電圧用ＤＡＣ３１ａおよび白基準電圧用バッファ（緩衝増幅器）３２ａと、黒基準電圧用ＤＡＣ３１ｂおよび黒基準電圧用バッファ（緩衝増幅器）３２ｂと、映像データ用ＤＡＣ３３とを含んでいる。白基準電圧用ＤＡＣ３１ａは、制御回路２から出力された透過表示用基準電圧データ２１ａ（図２参照）と反射表示用基準電圧データ２１ｂ（図２参照）とのいずれか一方の白基準電圧用デジタルデータを、デジタル信号からアナログ信号（ＤＣ電圧）に変換する機能を有している。また、黒基準電圧用ＤＡＣ３１ｂは、制御回路２から出力された透過表示用基準電圧データ２１ａと反射表示用基準電圧データ２１ｂとのいずれか一方の黒基準電圧用デジタルデータを、デジタル信号からアナログ信号（ＤＣ電圧）に変換する機能を有している。また、白基準電圧用バッファ３２ａおよび黒基準電圧用バッファ３２ｂは、映像データ用ＤＡＣ３３の負荷の影響から白基準電圧用ＤＡＣ３１ａおよび黒基準電圧用ＤＡＣ３１ｂを隔離するとともに、白基準電圧用ＤＡＣ３１ａおよび黒基準電圧用ＤＡＣ３１ｂからの信号の駆動能力を高めて映像データ用ＤＡＣ３３に基準電圧を与える機能を有している。
【００３２】
また、映像データ用ＤＡＣ３３は、アナログ信号に変換された透過表示用基準電圧データ２１ａと反射表示用基準電圧データ２１ｂとのいずれか一方に基づいて、外部からの映像デジタルデータを、デジタル信号からアナログ信号に変換する機能を有している。なお、画素領域５に表示される画像の輝度−階調特性は、通常、アナログ信号により制御する。このため、映像デジタルデータが入力される第１実施形態では、映像データ用ＤＡＣ３３が必要となる。
【００３３】
また、出力バッファ４は、画素領域５の負荷の影響から映像データ用ＤＡＣ３３を隔離するとともに、映像データ用ＤＡＣ３３から出力される映像アナログデータの駆動能力を高めて画素領域５に供給する機能を有している。この出力バッファ４により、映像データ用ＤＡＣ３３により変換された映像アナログデータが、画素領域５を充放電させるのに十分な駆動能力にまで高められる。また、画素領域５では、液晶５１ａとトランジスタ５１ｂとを含む表示画素５１がマトリクス状に配置されている。そして、液晶表示パネル５に供給される映像アナログデータは、トランジスタ５１ｂを介して液晶５１ａに印加される。
【００３４】
図３は、本発明の第１実施形態による半透過型液晶表示装置のＶ−Ｔ（印加電圧−透過率）特性図である。次に、図１〜図３を参照して、第１実施形態による半透過型液晶表示装置の動作について説明する。まず、透過表示の時には、バックライト１をオン状態にするとともに、反射表示の時には、バックライト１をオフ状態にする。また、ＤＡＣ部３を構成する映像データ用ＤＡＣ３３に、映像デジタルデータを入力する。
【００３５】
この際、第１実施形態では、バックライト１のオン信号およびオフ信号が、図２に示した制御回路２を構成するセレクタ２２ａおよび２２ｂにより検出される。そして、オン信号が検出された場合には、セレクタ２２ａおよび２２ｂにより透過表示用基準電圧データ（白基準電圧用デジタルデータおよび黒基準電圧用デジタルデータ）２１ａが選択される。また、オフ信号が検出された場合には、セレクタ２２ａおよび２２ｂにより反射表示用基準電圧データ（白基準電圧用デジタルデータおよび黒基準電圧用デジタルデータ）２１ｂが選択される。この後、選択された透過表示用基準電圧データ２１ａまたは反射表示用基準電圧データ２１ｂが、制御回路２から出力される。
【００３６】
そして、制御回路２から出力された透過表示用基準電圧データ２１ａまたは反射表示用基準電圧データ２１ｂの白基準電圧用デジタルデータおよび黒基準電圧用デジタルデータは、図１に示す白基準電圧用ＤＡＣ３１ａおよび黒基準電圧用ＤＡＣ３１ｂにより、デジタル信号からアナログ信号に変換される。その後、透過表示用基準電圧データ２１ａまたは反射表示用基準電圧データ２１ｂの白基準電圧用アナログデータおよび黒基準電圧用アナログデータは、白基準電圧用バッファ３２ａおよび黒基準電圧用バッファ３２ｂを介して、映像データ用ＤＡＣ３３に入力される。すなわち、透過表示（バックライト１のオン状態）の時には、図３に示す透過表示用の白基準電圧および黒基準電圧が映像データ用ＤＡＣ３３に入力される。また、反射表示（バックライト１のオフ状態）の時には、図３に示す反射表示用の白基準電圧および黒基準電圧が映像データ用ＤＡＣ３３に入力される。
【００３７】
これにより、第１実施形態では、透過表示（バックライト１のオン状態）の時には、図３に示す透過表示用の白基準電圧および黒基準電圧に基づいて、映像データ用ＤＡＣ３３に入力された映像デジタルデータが、デジタル信号からアナログ信号に変換される。また、反射表示（バックライト１のオフ状態）の時には、図３に示す反射表示用の白基準電圧および黒基準電圧に基づいて、映像データ用ＤＡＣ３３に入力された映像デジタルデータが、デジタル信号からアナログ信号に変換される。
【００３８】
そして、この変換された映像アナログデータは、図１に示したように、出力バッファ４を介して、画素領域５の表示画素５１を構成する液晶５１ａに、トランジスタ５１ｂを介して印加される。
【００３９】
ここで、透過表示（バックライト１のオン状態）の時および反射表示（バックライト１のオフ状態）の時のＶ−Ｔ特性は、それぞれ、図３に示すような異なるＶ−Ｔ特性となる。第１実施形態では、この点を考慮して、透過表示の場合と反射表示の場合とで輝度−階調特性が実質的に同じになるように、透過表示用の白基準電圧および黒基準電圧と、反射表示用の白基準電圧および黒基準電圧とを設定する。すなわち、この第１実施形態では、透過表示の場合と反射表示の場合とで輝度−階調特性が実質的に同じになるように、図３に示す透過表示用の白基準電圧および黒基準電圧を、図３に示す反射表示用の白基準電圧および黒基準電圧よりも予め小さく設定する。これにより、透過表示（バックライト１のオン状態）の時と反射表示（バックライト１のオフ状態）の時とで同じ映像デジタルデータが入力された場合、透過表示の時に液晶５１ａに印加される電圧は、反射表示の時に液晶５１ａに印加される電圧よりも小さくなる。その結果、透過表示（バックライト１のオン状態）の時と反射表示（バックライト１のオフ状態）の時とで、輝度−階調特性が実質的に同じ値となる。
【００４０】
第１実施形態では、上記のように、バックライト１のオン信号およびオフ信号を検出するとともに、バックライト１のオン信号およびオフ信号に基づいて、バックライト１のオン信号に対応した白基準電圧用デジタルデータおよび黒基準電圧用デジタルデータと、バックライト１のオフ信号に対応した白基準電圧用デジタルデータおよび黒基準電圧用デジタルデータとのいずれか一方を出力する制御回路２を設けることによって、容易に、透過表示（バックライト１のオン状態）の時および反射表示（バックライト１のオフ状態）の時にそれぞれ応じた白基準電圧および黒基準電圧を出力することができる。これにより、その白基準電圧および黒基準電圧を用いて表示画素５１を構成する液晶５１ａに印加する電圧を生成することにより、容易に、透過表示（バックライト１のオン状態）の時と反射表示（バックライト１のオフ状態）の時とで同等の輝度−階調特性を得ることができるように、透過表示の時および反射表示の時に応じてそれぞれ最適な電圧を液晶５１ａに印加することができる。その結果、透過表示（バックライト１のオン状態）の時と反射表示（バックライト１のオフ状態）の時とで輝度−階調特性がばらつくのを抑制することができる。
【００４１】
また、第１実施形態では、バックライト１のオン信号に対応した透過表示用基準電圧データ２１ａおよびバックライト１のオフ信号に対応した反射表示用基準電圧データ２１ｂが記憶された不揮発性メモリ２１と、バックライト１のオン信号およびオフ信号を検出するとともに、そのオン信号およびオフ信号に基づいて、透過表示用基準電圧データ２１ａと反射表示用基準電圧データ２１ｂとのいずれか一方を選択して出力するセレクタ２２ａおよび２２ｂとを制御回路２に設けることによって、不揮発性メモリ２１に予め記憶された透過表示用基準電圧データ２１ａと反射表示用基準電圧データ２１ｂとのいずれか一方を、セレクタ２２ａおよび２２ｂにより選択することができる。これにより、容易に、バックライト１のオン信号に対応した透過表示用基準電圧データ２１ａと、バックライト１のオフ信号に対応した反射表示用基準電圧データ２１ｂとのいずれか一方を選択して出力することができる。
【００４２】
また、第１実施形態では、ＤＡＣ部３を設けることによって、バックライト１のオン信号に対応した透過表示用基準電圧データ２１ａ、または、バックライト１のオフ信号に対応した反射表示用基準電圧データ２１ｂの白基準電圧用デジタルデータおよび黒基準電圧用デジタルデータに基づいて、映像デジタルデータを、容易に、透過表示（バックライト１のオン状態）の時または反射表示（バックライト１のオフ状態）の時に対応した映像アナログデータに変換することができる。
【００４３】
（第２実施形態）
図４は、本発明の第２実施形態による半透過型液晶表示装置（表示装置）の全体構成を示したブロック図である。図５は、図４に示した第２実施形態による半透過型液晶表示装置（表示装置）のガンマ補正回路の内部構成を示したブロック図である。図４および図５を参照して、この第２実施形態では、上記第１実施形態と異なり、バックライトのオン信号およびオフ信号にそれぞれ応じたガンマ補正が施された電圧を、液晶に印加する場合について説明する。
【００４４】
すなわち、この第２実施形態では、図４に示すように、バックライト１と、ＤＡＣ部３と、出力バッファ４と、画素領域５と、ガンマ補正回路６とを備えている。なお、ガンマ補正回路６は、本発明の「印加電圧制御手段」の一例である。
また、上記第１実施形態と同様、透過表示の時には、バックライト１をオン状態にするとともに、反射表示の時には、バックライト１をオフ状態にする。
【００４５】
ここで、第２実施形態では、ガンマ補正回路６は、バックライト１のオン信号およびオフ信号を検出する機能を有している。さらに、ガンマ補正回路６は、バックライト１のオン信号に対応したガンマ補正デジタルデータと、バックライト１のオフ信号に対応したガンマ補正デジタルデータとのいずれか一方に基づいて、外部からの映像デジタルデータをガンマ補正する機能も有している。具体的には、図５に示すように、ガンマ補正回路６は、透過表示用データ６１ａが格納された透過表示用ＬＵＴ（Ｌｏｏｋ  Ｕｐ  Ｔａｂｌｅ）６１および反射表示用データ６２ａが格納された反射表示用ＬＵＴ６２と、セレクタ６３と、データ処理回路６４とを含んでいる。なお、透過表示用ＬＵＴ６１および反射表示用ＬＵＴ６２は、本発明の「記憶部」の一例であり、セレクタ６３は、本発明の「選択回路」の一例である。
【００４６】
透過表示用ＬＵＴ６１に格納された透過表示用データ６１ａは、バックライト１（図１参照）のオン信号に対応したガンマ補正デジタルデータであり、反射表示用ＬＵＴ６２に格納された反射表示用データ６２ａは、バックライト１のオフ信号に対応したガンマ補正デジタルデータである。透過表示用データ６１ａおよび反射表示用データ６２ａは、それぞれ、ガンマ補正後に画素領域５に供給される映像データによって表示を行う場合に、透過表示の場合と反射表示の場合とで輝度−階調特性が実質的に同じになるように設定されている。また、セレクタ６３は、バックライト１のオン信号およびオフ信号を検出するとともに、そのオン信号およびオフ信号に基づいて、透過表示用データ６１ａと反射表示用データ６２ａとのいずれか一方を選択して出力する機能を有している。すなわち、バックライト１のオン信号が検出された場合には、透過表示用データ６１ａが選択され、バックライト１のオフ信号が検出された場合には、反射表示用データ６２ａが選択される。また、データ処理回路６４は、外部からの映像デジタルデータが入力されるとともに、透過表示用データ６１ａと反射表示用データ６２ａとのいずれか一方に基づいて、外部からの映像デジタルデータをガンマ補正する機能を有している。
【００４７】
また、図４に示すように、ＤＡＣ部３は、上記第１実施形態と同様、白基準電圧用ＤＡＣ３１ａおよび白基準電圧用バッファ３２ａと、黒基準電圧用ＤＡＣ３１ｂおよび黒基準電圧用バッファ３２ｂと、映像データ用ＤＡＣ３３とを含んでいる。ただし、この第２実施形態では、上記第１実施形態と異なり、白基準電圧用ＤＡＣ３１ａおよび黒基準電圧用ＤＡＣ３１ｂには、バックライト１のオン信号およびオフ信号にそれぞれ対応した白基準電圧用デジタルデータおよび黒基準電圧用デジタルデータは入力されない。すなわち、透過表示（バックライト１のオン状態）の時および反射表示（バックライト１のオフ状態）の時にかかわらず、常に、一定の白基準電圧用アナログデータ（ＤＣ電圧）および黒基準電圧用アナログデータ（ＤＣ電圧）が映像データ用ＤＡＣ３３に入力される。
【００４８】
また、上記第１実施形態と同様、映像データ用ＤＡＣ３３により変換された映像アナログデータは、出力バッファ４を介して液晶表示パネル５に供給される。また、液晶表示パネル５に供給される映像アナログデータは、トランジスタ５１ｂを介して液晶５１ａに印加される。
【００４９】
図６は、本発明の第２実施形態による半透過型液晶表示装置のＶ−Ｔ（印加電圧−透過率）特性図である。次に、図４〜図６を参照して、第２実施形態による半透過型液晶表示装置の動作について説明する。まず、透過表示の時には、バックライト１をオン状態にするとともに、反射表示の時には、バックライト１をオフ状態にする。また、ＤＡＣ部３を構成する映像データ用ＤＡＣ３３に、ガンマ補正回路６を介して映像デジタルデータを入力する。
【００５０】
この際、第２実施形態では、図５に示したように、映像デジタルデータは、ガンマ補正回路６を構成するデータ処理回路６４に入力されるとともに、バックライト１のオン信号およびオフ信号は、ガンマ補正回路６を構成するセレクタ６３により検出される。そして、オン信号が検出された場合には、セレクタ６３により透過表示用データ（ガンマ補正デジタルデータ）６１ａが選択される。また、オフ信号が検出された場合には、セレクタ６３により反射表示用データ（ガンマ補正デジタルデータ）６２ａが選択される。この後、選択された透過表示用データ６１ａまたは反射表示用データ６２ａが、データ処理回路６４に入力される。
【００５１】
そして、透過表示（バックライト１のオン状態）の時には、透過表示用データ６１ａのガンマ補正デジタルデータに基づいて、データ処理回路６４に入力された映像デジタルデータがガンマ補正される。また、反射表示（バックライト１のオフ状態）の時には、反射表示用データ６２ａのガンマ補正デジタルデータに基づいて、データ処理回路６４に入力された映像デジタルデータがガンマ補正される。すなわち、映像デジタルデータが入力されれば、透過表示（バックライト１のオン状態）の時には、図６に示す透過表示用の映像デジタルデータ（「０」〜「８」）にガンマ補正される。また、反射表示（バックライト１のオフ状態）の時には、図６に示す反射表示用の映像デジタルデータ（「０」〜「８」）にガンマ補正される。
【００５２】
また、図４に示したように、白基準電圧用ＤＡＣ３１ａおよび黒基準電圧用ＤＡＣ３１ｂから出力された白基準電圧用アナログデータ（ＤＣ電圧）および黒基準電圧用アナログデータ（ＤＣ電圧）は、白基準電圧用バッファ３２ａおよび黒基準電圧用バッファ３２ｂを介して、映像データ用ＤＡＣ３３に入力される。これにより、映像データ用ＤＡＣ３３に入力された白基準電圧および黒基準電圧に基づいて、映像データ用ＤＡＣ３３に入力された映像デジタルデータが、デジタル信号からアナログ信号に変換される。すなわち、第２実施形態では、透過表示（バックライト１のオン状態）の時には、図６に示す透過表示用の映像デジタルデータ（「０」〜「８」）が、デジタル信号から対応するアナログ信号に変換される。また、反射表示（バックライト１のオフ状態）の時には、図６に示す反射表示用の映像デジタルデータ（「０」〜「８」）が、デジタル信号から対応するアナログ信号に変換される。
【００５３】
そして、この変換された映像アナログデータは、図４に示したように、出力バッファ４を介して、画素領域５の表示画素５１を構成する液晶５１ａに印加される。
【００５４】
ここで、透過表示（バックライト１のオン状態）の時および反射表示（バックライト１のオフ状態）の時のＶ−Ｔ特性は、それぞれ、図６に示すような異なるＶ−Ｔ特性となる。この第２実施形態では、透過表示の場合と反射表示の場合とで輝度−階調特性が実質的に同じになるようにガンマ補正を行う。具体的には、この第２実施形態では、図６に示す透過表示用の映像デジタルデータ（「０」〜「８」）の変換後の電圧に対応する輝度−階調特性と、反射表示用の映像デジタルデータ（「０」〜「８」）の変換後の電圧に対応する輝度−階調特性とが実質的に同じになるように、映像デジタルデータ（「０」〜「８」）をガンマ補正する。その結果、透過表示（バックライト１のオン状態）の時と反射表示（バックライト１のオフ状態）の時とで、輝度−階調特性が実質的に同じ値となる。
【００５５】
第２実施形態では、上記のように、バックライト１のオン信号およびオフ信号を検出するとともに、バックライト１のオン信号に対応したガンマ補正デジタルデータと、バックライト１のオフ信号に対応したガンマ補正デジタルデータとのいずれか一方に基づいて、外部からの映像デジタルデータをガンマ補正するガンマ補正回路６を設けることによって、透過表示（バックライト１のオン状態）の時に対応したガンマ補正デジタルデータまたは反射表示（バックライト１のオフ状態）の時に対応したガンマ補正デジタルデータを用いて、容易に、ガンマ補正回路６に入力された映像デジタルデータを、透過表示の時に対応した映像デジタルデータまたは反射表示の時に対応した映像デジタルデータにガンマ補正することができる。これにより、このガンマ補正された映像デジタルデータに基づいて、表示画素５１を構成する液晶５１ａに印加する電圧を生成することにより、容易に、透過表示（バックライト１のオン状態）の時と反射表示（バックライト１のオフ状態）の時とで同等の輝度−階調特性を得ることができるように、透過表示の時および反射表示の時に応じてそれぞれ最適な電圧を液晶５１ａに印加することができる。その結果、上記第１実施形態と同様、透過表示（バックライト１のオン状態）の時と反射表示（バックライト１のオフ状態）の時とで輝度−階調特性がばらつくのを抑制することができる。
【００５６】
また、第２実施形態では、バックライト１のオン信号に対応した透過表示用データ６１ａが格納された透過表示用ＬＵＴ６１およびバックライト１のオフ信号に対応した反射表示用データ６２ａが格納された反射表示用ＬＵＴ６２と、バックライト１のオン信号およびオフ信号を検出するとともに、そのオン信号およびオフ信号に基づいて、透過表示用データ６１ａと反射表示用データ６２ａとのいずれか一方を選択して出力するセレクタ６３をガンマ補正回路６に設けることによって、透過表示用ＬＵＴ６１に予め格納された透過表示用データ６１ａと反射表示用ＬＵＴ６２に予め格納された反射表示用データ６２ａとのいずれか一方を、セレクタ６３により選択することができる。これにより、容易に、バックライト１のオン信号に対応した透過表示用データ６１ａと、バックライト１のオフ信号に対応した反射表示用データ６２ａとのいずれか一方を選択してガンマ補正することができる。
【００５７】
また、第２実施形態では、ＤＡＣ部３を設けることによって、バックライト１のオン信号に対応した透過表示用データ６１ａまたはバックライト１のオフ信号に対応した反射表示用データ６２ａのガンマ補正デジタルデータに基づいてガンマ補正された映像デジタルデータを、容易に、透過表示（バックライト１のオン状態）の時または反射表示（バックライト１のオフ状態）の時に対応した映像アナログデータに変換することができる。
【００５８】
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更が含まれる。
【００５９】
たとえば、上記第１および第２実施形態では、バックライトを有する半透過型液晶表示装置に本発明を適用する例を示したが、本発明はこれに限らず、フロントライトなどの光源を有するとともに、その光源をオン状態またはオフ状態にすることにより、光源からの光を反射させたり、または、自然光を反射させたりする反射型液晶表示装置にも適用可能である。
【００６０】
また、上記第１および第２実施形態では、制御回路やガンマ補正回路により液晶に印加する電圧を制御するようにしたが、本発明はこれに限らず、制御回路やガンマ補正回路以外の他の印加電圧制御手段を用いるようにしてもよい。
【００６１】
また、上記第１および第２実施形態では、光源のオン状態およびオフ状態に対応したデータを、不揮発性メモリやＬＵＴに記憶するようにしたが、本発明はこれに限らず、不揮発性メモリやＬＵＴ以外の記憶手段を用いるようにしてもよい。
【００６２】
また、上記第１および第２実施形態では、映像デジタルデータを、光源のオン状態およびオフ状態に応じて制御するようにしたが、本発明はこれに限らず、映像アナログデータを、光源のオン状態およびオフ状態に応じて制御するようにしてもよい。また、ＤＡＣ部と画素領域との間にスイッチを接続するとともに、そのスイッチをシフトレジスタを用いて任意のタイミングで開くことにより、ＤＡＣ部からの映像アナログデータを画素領域に供給してもよい。
【００６３】
また、上記第１実施形態では、バックライトのオン状態またはオフ状態に対応した白基準電圧用デジタルデータおよび黒基準電圧用デジタルデータの２つのデータに基づいて、映像データを補正するようにしたが、本発明はこれに限らず、バックライトのオン状態またはオフ状態に対応した白基準電圧用デジタルデータおよび黒基準電圧用デジタルデータのいずれか１つのみに基づいて、映像データを補正するようにしてもよい。
【００６４】
また、上記第１実施形態では、外部から入力される映像デジタルデータをデジタル信号からアナログ信号に変換する際に、白基準電圧用デジタルデータおよび黒基準電圧用デジタルデータに基づいて、映像デジタルデータを補正するようにしたが、本発明はこれに限らず、白基準電圧用アナログデータおよび黒基準電圧用アナログデータに基づいて、外部から入力される映像アナログデータを補正する場合にも適用可能である。この場合、外部から入力された映像デジタルデータをデジタル信号からアナログ信号に変換した後に、白基準電圧用アナログデータおよび黒基準電圧用アナログデータに基づいて、映像アナログデータを補正するようにしてもよい
【図面の簡単な説明】
【図１】本発明の第１実施形態による半透過型液晶表示装置（表示装置）の全体構成を示したブロック図である。
【図２】図１に示した第１実施形態による半透過型液晶表示装置（表示装置）の制御回路の内部構成を示したブロック図である。
【図３】本発明の第１実施形態による半透過型液晶表示装置のＶ−Ｔ（印加電圧−透過率）特性図である。
【図４】本発明の第２実施形態による半透過型液晶表示装置（表示装置）の全体構成を示したブロック図である。
【図５】図４に示した第２実施形態による半透過型液晶表示装置（表示装置）のガンマ補正回路の内部構成を示したブロック図である。
【図６】本発明の第２実施形態による半透過型液晶表示装置のＶ−Ｔ（印加電圧−透過率）特性図である。
【図７】従来の液晶表示装置の印加電圧と透過率との関係を説明するためのＶ−Ｔ（印加電圧−透過率）特性図である。
【図８】従来の液晶表示装置の輝度と入力データ（映像データ）との関係を説明するための相関図である。
【符号の説明】
１  バックライト（光源）
２  制御回路（印加電圧制御手段）
３  ＤＡＣ（デジタル／アナログ変換回路）部
６  ガンマ補正回路（印加電圧制御手段）
２１  不揮発性メモリ（メモリ）
２２ａ、２２ｂ、６３  セレクタ（選択回路）
５１  表示画素
６１  透過表示用ＬＵＴ（記憶部）
６２  反射表示用ＬＵＴ（記憶部）
６４  データ処理回路
【図１】
2005017566.tif 000003
【図２】
2005017566.tif 000004
【図３】
2005017566.tif 000005
【図４】
2005017566.tif 000006
【図５】
2005017566.tif 000007
【図６】
2005017566.tif 000008
【図７】
2005017566.tif 000009
【図８】
2005017566.tif 000010